(57)【要約】【課題】  容易にプリント情報を入力することができ、且つ、入力されたプリント情報に基づいて自動的にプリント処理を行うことができる写真プリント装置を提供する。【解決手段】  撮影画像を受け取る画像入力部４１と、撮影画像のためのプリント処理内容を規定するプリント情報を入力するプリント情報入力部４２と、プリント情報を用い、撮影画像のファイル名を、プリント情報を表す文字列を含むファイル名に変換するファイル名変換部４３と、撮影画像のファイル名からプリント情報を取得し、取得したプリント情報に基づいて、撮影画像のプリントデータ化の前処理を行うプリント処理部４４とから構成される。【選択図】        図３
2006126287.tif 000002
【特許請求の範囲】
【請求項１】
撮影画像を受け取る画像入力部と、
前記撮影画像のためのプリント処理内容を規定するプリント情報を入力するプリント情報入力部と、
前記プリント情報を用い、前記撮影画像のファイル名を、前記プリント情報を表す文字列を含むファイル名に変換するファイル名変換部と、
前記撮影画像のファイル名からプリント情報を取得し、取得した前記プリント情報に基づいて、前記撮影画像のプリントデータ化の前処理を行うプリント処理部とから構成される写真プリント装置。
【請求項２】
ＤＰＯＦファイルを受け取るＤＰＯＦファイル処理部を備え、
前記画像入力部が、前記ＤＰＯＦファイルとリンクしている撮影画像を取得し、
前記プリント情報入力部が、前記ＤＰＯＦファイルから前記プリント情報を取得する請求項１に記載の写真プリント装置。
【請求項３】
前記プリント情報が、プリント枚数若しくはプリントサイズまたはその両方を含む請求項１または２に記載の写真プリント装置。
【請求項４】
前記プリント情報が、受注毎に割り当てられるオーダ番号を含む請求項３に記載の写真プリント装置。
【請求項５】
前記プリント情報をファイル名に付加した前記撮影画像をまとめたフォルダを受け取るプリント注文情報処理部を備え、
前記プリント処理部が、前記フォルダ単位で前記撮影画像のプリントデータ化の前処理を行う請求項３に記載の写真プリント装置。
【発明の詳細な説明】
【技術分野】
【０００１】
本発明は、写真プリント装置に関する。
【背景技術】
【０００２】
デジタルカメラや携帯電話等で撮影した撮影画像をプリントするプリントサービスでは、撮影画像及びプリントしたい撮影画像やプリント枚数、プリントサイズ等を指定するプリント情報を受け取って撮影画像のプリントを行う。一般的に、デジタルカメラや携帯電話等では、撮影画像とリンクしているプリント情報等を記録することができるＤＰＯＦ（Digital Print Order Format）形式のファイルが利用されており、プリントサービスを利用する場合には、ＤＰＯＦファイルを送るだけで様々な設定の手間を省くことができる。
プリントサービス等で用いられる写真プリント装置では、注文時の受付番号と、写真プリント装置のプリント処理に用いられるオーダ番号とが夫々独自の命名規則を有していることから、受付番号とオーダ番号との対応関係を適切に管理する必要があった。
撮影画像を管理する技術には、ハードディスクに記録されている撮影画像及びこの撮影画像が登録されているフォルダを抽出し、所定の命名規則に基づいてファイル名及びフォルダ名を自動的に変換して他の記録媒体に記録すると共に、変換前のファイル名等の情報を記載したインデックスファイルを作成して、前記他の記録媒体に記録する技術が開示されている（例えば、特許文献１参照）。
【０００３】
【特許文献１】特開２００３−２２３３４７号公報
【発明の開示】
【発明が解決しようとする課題】
【０００４】
しかしながら、特許文献１の技術は、撮影画像及びこの撮影画像を含むフォルダを抽出して管理するものであるが、例えば、プリントサービス等を利用する場合には、プリントサービス等で利用可能なファイルを新たに作成する必要がある。具体的には、撮影画像との対応関係を考慮しながら、撮影画像毎に、プリント枚数やプリントサイズ等を記憶したプリント情報を作成する必要があり、手間がかかるといった問題があった。
また、プリントサービス等において、例えば、ＤＰＯＦファイルを利用するときは、ＤＰＯＦの規格についての知識を有しているか、ＤＰＯＦファイルの作成を行うツールを持っていることが必要とされる。このため、利用者が、プリント枚数やプリントサイズを記録したプリント情報を作成することが困難であり、プリントサービスの提供者が作成する必要があり、プリント情報の作成ミスや手間がかかるといった問題があった。
【０００５】
本発明は上記の問題に鑑みてなされたものであり、その目的は、容易にプリント情報を作成することができ、且つ、入力されたプリント情報に基づいて自動的にプリント処理を行うことができる写真プリント装置を提供する点にある。
【課題を解決するための手段】
【０００６】
この目的を達成するための本発明に係る写真プリント装置の特徴構成は、撮影画像を受け取る画像入力部と、前記撮影画像のためのプリント処理内容を規定するプリント情報を入力するプリント情報入力部と、前記プリント情報を用い、前記撮影画像のファイル名を、前記プリント情報を表す文字列を含むファイル名に変換するファイル名変換部と、前記撮影画像のファイル名からプリント情報を取得し、取得した前記プリント情報に基づいて、前記撮影画像のプリントデータ化の前処理を行うプリント処理部とから構成される点にある。
【０００７】
即ち、上記特徴構成によれば、プリント情報入力部及びファイル名変換部により、撮影画像のファイル名にプリント情報を付加するので、プリントサービス等で利用されるＤＰＯＦファイルのような記録フォーマットに対する知識が無くても、容易にプリント情報を入力することができる。これによって、撮影画像のプリントを依頼した利用者がプリント情報を入力することが可能になり、写真プリント装置における撮影画像のプリントに係る手間を省力化することができる。
【０００８】
この目的を達成するための本発明に係る写真プリント装置の他の特徴構成は、ＤＰＯＦファイルを受け取るＤＰＯＦファイル処理部を備え、前記画像入力部が、前記ＤＰＯＦファイルとリンクしている撮影画像を取得し、前記プリント情報入力部が、前記ＤＰＯＦファイルから前記プリント情報を取得する点にある。
【０００９】
即ち、上記特徴構成によれば、ＤＰＯＦファイルから自動的にプリント情報を取得するため、ＤＰＯＦファイルを利用する機器において、プリント情報の作成にかかる手間を省力化することができると共に、プリント情報の入力ミス等を確実に防止することができる。更に、ＤＰＯＦファイルは、一般的なデジタルカメラや携帯電話等で利用されていることから、本特徴構成の如く構成することで、本発明の適用範囲を広げることができる。
【００１０】
更に、他の特徴構成は、前記プリント情報が、プリント枚数若しくはプリントサイズまたはその両方を含む点にある。
即ち、上記特徴構成によれば、プリント枚数及びプリントサイズといった、撮影画像のプリントを依頼した利用者が設定しなければならない情報を容易に設定できるので、撮影画像のプリントに係る手間を省力化することができる。
【００１１】
更に、前記プリント情報が、受注毎に割り当てられるオーダ番号を含む構成であっても良く、このように構成すれば、受注（オーダ）毎に適切に撮影画像を管理することができ、複数のオーダを記録したメディアについても、適切に撮影画像のプリントを行うことができる。
【００１２】
また、他の特徴構成は、前記プリント情報をファイル名に付加した前記撮影画像をまとめたフォルダを受け取るプリント注文情報処理部を備え、前記プリント処理部が、前記フォルダ単位で前記撮影画像のプリントデータ化の前処理を行う点にある。
即ち、上記特徴構成によれば、オーダ毎にフォルダを作成するので、特に、撮影画像のプリントを依頼する利用者が、オーダ毎に撮影画像を管理し易くなる。また、１つのメディアに複数のオーダを記録することで、撮影画像を含む複数のオーダを格納管理することができ、写真プリント装置におけるプリント処理をより効率良く行うことができる。
本発明によるその他の特徴及び利点は、以下図面を用いた実施形態の説明により明らかになるだろう。
【発明を実施するための最良の形態】
【００１３】
本発明に係る写真プリント装置の第一実施形態を図面に基づいて説明する。
図１は、本発明に係る写真プリント装置の外観図であり、この写真プリント装置は、印画紙Ｐに対して露光処理と現像処理とを行う写真プリンタとしてのプリントステーション１Ｂと、現像済み写真フィルム２ａやデジタルカメラ用メモリカード２ｂなどの画像記録メディアから取り込んだ撮影画像を処理してプリントステーション１Ｂで使用されるプリントデータの生成・転送などを行う操作ステーション１Ａとから構成されている。
【００１４】
この写真プリント装置はデジタルミニラボとも称せられるものであり、特に図２からよく理解できるように、プリントステーション１Ｂは２つの印画紙マガジン１１に納めたロール状の印画紙Ｐを引き出してシートカッター１２でプリントサイズに切断し、このように切断された印画紙Ｐに対し、バックプリント部１３で色補正情報やコマ番号などのプリント処理情報を印画紙Ｐの裏面に印字するとともに、プリント露光部１４で印画紙Ｐの表面（感光面）に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＰは、このソータ１７の複数のトレイにオーダ単位で仕分けられた状態で集積される（図１参照）。
【００１５】
上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１６】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１７】
操作ステーション１Ａのデスク状コンソールの上部位置には、写真フィルム２ａの撮影画像コマから撮影画像データ（以下単に撮影画像と略称する）を取得することができるフィルムスキャナ２０が配置されており、デジタルカメラ等に装着される撮影画像記録媒体２ｂとして用いられている各種メモリカードやＣＤ−Ｒなどから撮影画像を取得するメディアリーダ２１は、この写真プリント装置のコントローラ３として機能する汎用パソコンに組み込まれている。この汎用パソコンには、さらに各種情報を表示するモニタ２３、各種設定や調整を行う際に用いる操作入力部として利用される操作入力デバイスとしてのキーボード２４やマウス２５も接続されている。
【００１８】
この写真プリント装置のコントローラ３は、ＣＰＵを中核部材として、写真プリント装置の種々の動作を行うための機能部をハードウエア又はソフトウエアあるいはその両方で構築してある。
【００１９】
コントローラ３のインターフェース系の機能部としては、図３に示すように、フィルムスキャナ２０やメディアリーダ２１によって読み取られた撮影画像に次の処理のために必要な前処理を施してメモリ３０に展開する画像データ入力部３１と、キーボード２４やマウス２５からのユーザ操作入力を処理して適当な内部処理コマンドに変換する操作入力処理部３２と、種々の画像情報を最終的にモニタ２３に表示させるためのビデオ信号を生成するビデオ制御部３３と、プリントステーション１Ｂに装備されているプリント露光部１４に適したプリントデータを生成するプリントデータ生成部３４と、顧客の要望に応じて生の撮影画像や編集済みの撮影画像等をＣＤやＤＶＤに書き込むための形式にフォーマットするフォーマッタ部３５と、プレジャッジ画面や編集画面などのグラフィック操作画面の作成やそのようなグラフィック操作画面を通じてのユーザ操作入力から変換された内部処理コマンドを管理するグラフィックユーザインターフェース（以下ＧＵＩと略称する）を構築するＧＵＩ部３６などが挙げられる。
【００２０】
画像データ入力部３１は、プリント注文データを受け取りメモリ３０に記憶する。詳細には、例えば、撮影画像記録媒体がフィルム２ａの場合、プレスキャンモードと本スキャンモードとのスキャンデータを別々にメモリ３０に送り込み、それぞれの目的に合わせた前処理を行う。また、撮影画像記録媒体がメモリカード２ｂの場合、取り込んだ撮影画像にサムネイル画像（低解像度データ）が含まれているときはモニタ２３での一覧表示などの目的で使用するため撮影画像の本データ（高解像度データ）とリンクされたアドレスのメモリ３０に送り込むが、もしサムネイル画像データが含まれていないときは本データから縮小画像を作り出してサムネイル画像データとして同様に本データのアドレスとリンクされたアドレスのメモリ３０に送り込む。
【００２１】
ＧＵＩ部３６は、撮影画像を順次表示するプレジャッジ画面を生成するプレジャッジ画面作成部３６ａと、編集された撮影画像をプレジャッジ画面上に表示する編集画面作成部３６ｂと、プレジャッジ画面を含む種々の操作画面を通じて取得した内部処理コマンドを管理する処理コマンド管理部３６ｃとを備えている。
【００２２】
更に、コントローラ３の本発明に特に関係する処理系の機能部としては、撮影画像を受け取る画像入力部４１と、撮影画像のためのプリント処理内容を規定するプリント情報を入力するプリント情報入力部４２と、プリント情報を用い、撮影画像のファイル名を、プリント情報を表す文字列を含むファイル名に変換するファイル名変換部４３と、撮影画像のファイル名からプリント情報を取得し、取得したプリント情報に基づいて、撮影画像のプリントデータ化の前処理を行うプリント処理部４４とから構成されるプリント管理部４０が挙げられる。
【００２３】
次に、このように構築されたプリント管理部４０の処理手順を図４のフローチャートを用いて説明する。
先ず、画像入力部４１が、フィルムスキャナ２０やメディアリーダ２１からプリントする撮影画像を受け取り（ステップ＃１０１）、プリント情報入力部４２が、撮影画像のためのプリント処理内容を規定するプリント情報を受け取る（ステップ＃１０２）。ここでのプリント情報は、プリント枚数、プリントサイズ及びオーダ番号であり、オーダ番号は、写真プリント装置のプリント処理において利用する番号であり、プリントサービスの受注時にオーダ毎に割り当てられる。プリント枚数及びプリントサイズは、具体的には、画像入力部４１が撮影画像を受け取った後、撮影画像を順次表示するプレジャッジ画面上で設定可能に構成されている。
【００２４】
ファイル名変換部４３は、ステップ＃１０２で取得したプリント情報を用い、撮影画像のファイル名を、プリント情報を表す文字列を含むファイル名に変換する（ステップ＃１０３）。ここで、図５は変換後のファイル名の例を示している。変換後のファイル名は、拡張子の直前に、＿を区切り文字としてプリント枚数、プリントサイズ、オーダ番号をこの順に付加する。詳細には、（元のファイル名）＿（プリント枚数）＿（プリントサイズ）＿（オーダ番号）．（拡張子）となる。プリントサイズは、写真のＬサイズや２Ｌサイズ、パノラマサイズ等を設定可能に構成してあり、Ｌ、２ＬやＰ等といった記号で指定する。
【００２５】
プリント処理部４４は、撮影画像のファイル名からプリント情報を取得する（＃１０５）。ここでは、拡張子の直前に付加されたプリント情報を表す文字列を抽出し、この文字列を解析してプリント枚数、プリントサイズ及びオーダ番号を取得する。続いて、プリント処理部４４は、プリントすべき撮影画像に対して取得したプリント情報に基づいて所定の処理を施した後この撮影画像をプリントデータ生成部に出力し、その後プリント露光部１４によって撮影画像がプリントされる（＃１０６）。
【００２６】
尚、本実施形態では、写真プリント装置のプレジャッジ画面上でプリント情報を入力する構成としたが、これに限らず、撮影画像のプリントを依頼した利用者がＰＣ等を用いて撮影画像のファイル名を変更し、写真プリント装置に送る構成とするのも好適である。この場合には、プリント情報入力部４２及びファイル名変換部４３に係る機能をＰＣに構築し、ファイル名の変換後の撮影画像を写真プリント装置に送る構成としても良い。
【００２７】
次に、本発明に係る写真プリント装置の第二実施形態について説明する。
第一実施形態では、プリント情報入力部４２にプリント情報を手入力したが、本実施形態では、例えば、一般的なデジタルカメラや携帯電話のように撮影画像及びプリント情報を記憶したＤＰＯＦファイルを利用する入力デバイスを対象とし、ＤＰＯＦファイルからプリント情報を自動的に抽出する。
【００２８】
本実施形態のコントローラ３は、図６に示すように、ＤＰＯＦファイル処理部４５を備えて構成される。このＤＰＯＦファイル処理部４５は、メディアリーダ２１等からＤＰＯＦファイルを受け取ると、プリント管理部４０に出力する。画像入力部４１は、前記ＤＰＯＦファイルとリンクしている撮影画像を取得する。プリント情報入力部４２は、ＤＰＯＦファイル処理部４５からＤＰＯＦファイルを受け取ると、ＤＰＯＦファイルからプリント情報を取得する。詳細には、ＤＰＯＦファイルには、撮影画像のサイズ、タイトル、トリミング設定、機器情報、日付及び時刻等の情報が記憶されており、この情報からプリント情報、ここでは、プリント枚数及びプリントサイズを抽出する。
これによって、ＤＰＯＦファイルを利用する入力デバイスについて、自動的にプリント情報を入力して、プリント情報の作成に係る手間を省力化することができる。
【００２９】
本発明に係る写真プリント装置の第三実施形態について説明する。
上記第一実施形態及び第二実施形態では、オーダ毎の処理について説明したが、本実施形態では、１つのメディアに複数のオーダが含まれ、各オーダがフォルダ単位で登録されている場合について説明する。
【００３０】
本実施形態のコントローラ３は、図７に示すように、プリント注文情報処理部４６を備えて構成される。このプリント注文情報処理部４６は、前記プリント情報をファイル名に付加した前記撮影画像をまとめたフォルダを受け取る。ここでの撮影画像は、ファイル名にプリント枚数及びプリントサイズからなるプリント情報が付加されている。詳細には、（元のファイル名）＿（プリント枚数）＿（プリントサイズ）．（拡張子）である。また、前記フォルダは、オーダ毎に割り当てられるオーダ番号によって命名されている。プリント注文情報処理部４６は、フォルダ単位で、撮影画像とプリント情報をプリント処理部４４に出力する。
プリント処理部４４は、フォルダ単位で撮影画像のプリントデータ化の前処理を行うことで、複数のオーダを処理する。これによって、複数のオーダを連続的に処理することができ、写真プリント装置におけるプリント処理をより効率良く行うことができる。
【００３１】
上述した実施の形態では、写真プリント装置が、印画紙Ｐに対して露光処理と現像処理とを行う写真プリンタとしてのプリントステーションをも含んだいわゆるデジタルミニラボとして構成されていたが、処理したプリントデータをプリントステーションに送るプリントステーションから独立した装置として構成してもよい。つまり、本発明の写真プリント装置は、必ずしもプリントステーションを構成要件とはしていない。また、連係するプリントステーションのプリント方式として露光方式以外インクジェット方式など他の画像形成方式も除外していない。
【図面の簡単な説明】
【００３２】
【図１】本発明による写真プリント装置の一例を示す外観図
【図２】図１による写真プリント装置を構成するプリントステーションの説明図
【図３】写真プリント装置の第一実施形態のコントローラの機能を示す機能ブロック図
【図４】本発明による写真プリント装置の処理を示すフローチャート
【図５】変更後のファイル名の一例を示す図
【図６】写真プリント装置の第二実施形態のコントローラの機能を示す機能ブロック図
【図７】写真プリント装置の第三実施形態のコントローラの機能を示す機能ブロック図
【符号の説明】
【００３３】
１Ａ  操作ステーション
１Ｂ  プリントステーション
４０  プリント管理部
４１  画像入力部
４２  プリント情報入力部
４３  ファイル名変換部
４４  プリント処理部
４５  ＤＰＯＦファイル処理部
４６  プリント注文情報処理部
【図１】
2006126287.tif 000003
【図２】
2006126287.tif 000004
【図３】
2006126287.tif 000005
【図４】
2006126287.tif 000006
【図５】
2006126287.tif 000007
【図６】
2006126287.tif 000008
【図７】
2006126287.tif 000009